(57)【要約】【課題】長尺状の装飾部品の長手方向における両端部を所定の方向に移動させる装置であって、前記装飾部品の長手方向における中央部を中心として前記装飾部材を回動させることができる装飾部品駆動装置を提供する。【解決手段】  装飾部品駆動装置１は、所定の方向にそれぞれ延設されるとともに対向配置された一対のガイドシャフト１２と、一対のガイドシャフト１２にそれぞれ組み付けられた一対のブラケット１４と、一対のブラケット１４を一対のガイドシャフト１２に沿ってそれぞれ移動させる一対のアクチュエータ１３と、一対のブラケット１４の間に設けられ、装飾部品ＤＰを支持する支持部材と、一対のブラケット１４と支持部材２０とをそれぞれ接続する一対の接続部材３０Ｌ，３０Ｒと、を備える。一対の接続部材３０Ｌ，３０Ｒは、装飾部品ＤＰの長手方向における両端部側から中央部側へ向かう方向、又はそれらの反対方向へ向かう同一の付勢力を、装飾部品ＤＰの両端部に作用させる。【選択図】図３
2019205513.tif 000002
【特許請求の範囲】
【請求項１】
長尺状の装飾部品の長手方向における両端部を支持して移動させる装飾部品駆動装置であって、
所定の方向にそれぞれ延設されるとともに対向配置された一対のガイドレールと、
前記一対のガイドレールにそれぞれ組み付けられた一対のブラケットと、
前記一対のブラケットを前記一対のガイドレールに沿ってそれぞれ移動させる一対のアクチュエータと、
前記一対のブラケットの間に設けられ、前記装飾部品を支持する支持部材と、
前記一対のブラケットと前記支持部材とをそれぞれ接続する一対の接続部材と、を備え、
前記一対の接続部材は、前記装飾部品の長手方向における両端部側から中央部側へ向かう方向、又は前記装飾部品の長手方向における中央部側から両端部側へ向かう方向への同一の付勢力を、前記装飾部品の長手方向における両端部に作用させる付勢部材をそれぞれ備えた、装飾部品駆動装置。
【請求項２】
請求項１に記載の装飾部品駆動装置において、
前記付勢部材は、前記装飾部品の長手方向における両端部を、前記装飾部品の長手方向における中央部側へ付勢するばねである、装飾部品駆動装置。
【請求項３】
請求項１に記載の装飾部品駆動装置において、
前記付勢部材は、前記装飾部品の長手方向における両端部を、前記装飾部品の長手方向における中央部側とは反対側へ付勢するばねである、装飾部品駆動装置。
【請求項４】
請求項１乃至３のうちのいずれか１つに記載の装飾部品駆動装置において、
前記接続部材は、前記装飾部品の長手方向に平行に延びるロッドを備え、
前記ロッドの一端部が、前記支持部材に、前記装飾部品の長手方向にスライド可能に組み付けられ、前記ロッドの他端部が前記ブラケットに組み付けられている、装飾部品駆動装置。
【発明の詳細な説明】
【技術分野】
【０００１】
本発明は、遊技機の装飾部品（役物）を駆動する装置に関する。
【背景技術】
【０００２】
例えば、下記特許文献１及び特許文献２に記載されているように、遊技機の装飾部品を駆動する装置（装飾部品駆動装置）は知られている。これらの装置は、長尺状の装飾部品の長手方向における両端部を支持して移動させる。これらの装置は、表示装置の左方及び右方にて、上下方向にそれぞれ延びる左右一対のガイドレール、前記左右一対のガイドレールに沿ってそれぞれスライドする左右一対のブラケット、及び前記左右一対のブラケットに接続された支持部材を備える。前記支持部材は、左側（右側）のブラケットから右側（左側）のブラケットへ向かって延設されている。前記支持部材の延設方向に略平行に延びる装飾部材が、前記支持部材の前面に取り付けられる。前記左右一対のブラケットは、独立して駆動される。すなわち、例えば、一方のブラケットが上昇されつつ、他方のブラケットが下降される。また、例えば、一方のブラケットが停止された状態で、他方のブラケットが上昇又は下降される。また、例えば、両ブラケットが同時に上昇又は下降される。このように左右のブラケットがそれぞれ駆動されて、装飾部品の上下方向の位置及び水平方向に対する傾斜角度が制御される。
【先行技術文献】
【特許文献】
【０００３】
【特許文献１】特開２０１４−１５１０７６号公報
【特許文献２】特許６０９９０７１号公報
【発明の概要】
【０００４】
前記左右一対のブラケットには、前後方向に延びるピンがそれぞれ設けられている。また、前記支持部材の長手方向における両端部には、前記ピンが挿入される孔が設けられている。一端部（例えば右端部）の孔は円孔であり、他端部の孔は、前記支持部材の長手方向に略平行な方向に延びる長孔である。そのため、左右一対のブラケットが上下方向にずれるように移動する際、前記支持部材は、前記円孔に挿入されたピンを回動軸として回動する。したがって、前記支持部材の延設方向が水平方向に一致している場合には、前記支持部材の延設方向における中央部が表示装置の左右方向における中央部の前方に位置しているが、前記支持部材が水平方向に対して傾斜した状態では、前記支持部材の長手方向における中央部が、前記一端部側にずれる。すなわち、遊技機の正面視において、装飾部品の長手方向における中央部を中心として装飾部品を回動させることができず、表示装置に対し、装飾部品が一端側（例えば右側）へ片寄った状態になる。このように装飾部品が傾斜したとき一端側に片寄る動作が、遊技者に違和感を生じさせる虞がある。
【０００５】
本発明の目的は、長尺状の装飾部品の長手方向における両端部を所定の方向に移動させる装置であって、前記装飾部品の長手方向における中央部を中心として前記装飾部材を回動させることができる装飾部品駆動装置を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
上記目的を達成するために、本発明の特徴は、長尺状の装飾部品（ＤＰ）の長手方向における両端部を支持して移動させる装飾部品駆動装置（１）であって、所定の方向にそれぞれ延設されるとともに対向配置された一対のガイドレール（１２）と、前記一対のガイドレールにそれぞれ組み付けられた一対のブラケット（１４）と、前記一対のブラケットを前記一対のガイドレールに沿ってそれぞれ移動させる一対の亜アクチュエータ（１３）と、前記一対のブラケットの間に設けられ、前記装飾部品を支持する支持部材（２０）と、
前記一対のブラケットと前記支持部材とをそれぞれ接続する一対の接続部材（３０Ｌ，３０Ｒ）と、を備え、前記一対の接続部材は、前記装飾部品の長手方向における両端部側から中央部側へ向かう方向、又は前記装飾部品の長手方向における中央部側から両端部側へ向かう方向への同一の付勢力を、前記装飾部品の長手方向における両端部に作用させる付勢部材をそれぞれ備えた、装飾部品駆動装置としたことにある。
【０００７】
この場合、前記付勢部材は、前記装飾部品の長手方向における両端部を、前記装飾部品の長手方向における中央部側へ付勢するばねであるとよい。
【０００８】
また、この場合、前記付勢部材は、前記装飾部品の長手方向における両端部を、前記装飾部品の長手方向における中央部側とは反対側へ付勢するばねであってもよい。
【０００９】
また、この場合、前記接続部材は、前記装飾部品の長手方向に平行に延びるロッド（３２）を備え、前記ロッドの一端部が、前記支持部材に、前記装飾部品の長手方向にスライド可能に組み付けられ、前記ロッドの他端部が前記ブラケットに組み付けられているとよい。
【００１０】
本発明に係る装飾部品駆動装置によれば、一対のブラケットをそれぞれ移動させることにより、装飾部品を駆動できる。例えば、一対のブラケットを同一方向へ同一速度で移動させた場合、装飾部品が平行移動する。つまり、装飾部品の姿勢（例えば水平方向に対する傾斜角度）は変化しない。また、例えば、一対のブラケットを異なる方向へ移動させた場合、一対のブラケットの移動速度が異なる場合などには、装飾部品の姿勢が変化する。本発明に係る装飾部品駆動装置では、上記のような一対のブラケットの移動の態様及び姿勢の変化の態様に関わらず、装飾部品の長手方向における両端部が、常に、付勢部材によって、装飾部品の長手方向における中央部側（又は、その反対側）へ、それぞれ同一の付勢力で付勢される。一対のブラケットを異なる方向へ移動させた場合、一対のブラケットの移動速度が異なる場合などには、一対のブラケットの距離が変化するが、その場合であっても、装飾部品の長手方向における両端部が、常に、付勢部材によって、装飾部品の長手方向における中央部側（又は、その反対側）へ、それぞれ同一の付勢力で付勢される。よって、装飾部品の長手方向における中央部を、常に、一対のブラケットを結ぶ線分の中央部に位置させることができる。すなわち、本実施形態によれば、装飾部品の長手方向における中央部を中心として装飾部品を回動させることができる。
【図面の簡単な説明】
【００１１】
【図１】本発明の一実施形態に係る装飾部品駆動装置が適用されたパチンコ機の分解斜視図である。
【図２】装飾部品駆動装置に装飾部品が取り付けられた状態の斜視図である。
【図３】装飾部品駆動装置の斜視図である。
【図４】直動装置の分解斜視図である。
【図５】ブラケットを右斜め前方から見た斜視図である。
【図６】ブラケットを左斜め前方から見た斜視図である。
【図７】ブラケットの分解斜視図である。
【図８】ブラケットの本体部の斜視図である。
【図９】ブラケットの本体部の正面図である。
【図１０】支持体及び接続部材を斜め前方から見た分解斜視図である。
【図１１】支持体及び接続部材を斜め後方から見た分解斜視図である。
【図１２】支持体及び接続部材を直動装置に組み付ける手順を示す斜視図である。
【図１３】装飾部品を傾斜させた状態を示す斜視図である。
【図１４】図１３の状態におけるブラケット、支持部材及び接続部材の位置関係を示す正面図である。
【図１５】本発明の変形例に係る装飾部品駆動装置の斜視図である。
【図１６】本発明の他の変形例に係る接続部材及びその周辺部の正面図である。
【発明を実施するための形態】
【００１２】
本発明の一実施形態に係る装飾部品駆動装置１について説明する。まず、装飾部品駆動装置１が適用される遊技機としてのパチンコ機ＰＭの概略について説明しておく。パチンコ機ＰＭは、図１に示すように、鉛直方向に延びる略直方体状の装置である。以下の説明において、パチンコ機ＰＭの高さ方向（鉛直方向）を上下方向と呼ぶ。また、パチンコ機ＰＭの幅方向を左右方向と呼び、パチンコ機ＰＭの奥行き方向を前後方向と呼ぶ。
【００１３】
パチンコ機ＰＭは、同図に示すように、遊技球発射装置ＢＳ、遊技盤ＰＢなどを備える。遊技盤ＰＢは、上下方向に延びる略長方形の板状部材である。遊技盤ＰＢは、遊技者に対向するように配置されている。すなわち、遊技盤ＰＢの板厚方向が前後方向に一致している。遊技盤ＰＢは、遊技球発射装置ＢＳの上方に配置されている。遊技球発射装置ＢＳは、図示しない遊技球を１球ずつ遊技盤ＰＢへ向けて発射する。
【００１４】
遊技盤ＰＢの略中央部に開口部ＯＰが設けられている。開口部ＯＰの後方には、表示装置ＤＤ及び装飾部品駆動装置１が収容されたケースＣＡが配置されている。ケースＣＡは前方（遊技者側）へ開放された箱状部材である。ケースＣＡの中央部に表示装置ＤＤが配置されている。表示装置ＤＤとして、液晶ディスプレイ、有機ＥＬディスプレイなどが用いられる。表示装置ＤＤは、図示しない制御装置に接続されており、制御装置から供給された制御信号に従って画像を表示する。図２に示すように、装飾部品駆動装置１に長尺状の装飾部品ＤＰが取り付けられる。装飾部品ＤＰは、表示装置ＤＤの前方にて、表示装置ＤＤの右端側から左端側へ延設されている。この装飾部品ＤＰの長手方向における両端部が、装飾部品駆動装置１によって上下方向へ移動される。これにより、装飾部品ＤＰが表示装置ＤＤの前方を上下方向へ移動する。開口部ＯＰの周縁部には枠状の縁飾りＥＰが取り付けられている（図１参照）。縁飾りＥＰによって装飾部品駆動装置１の大部分が覆われ、装飾部品ＤＰのみが露出している。すなわち、装飾部品駆動装置１はほとんど視認されない。
【００１５】
つぎに、装飾部品駆動装置１の構成について説明する。装飾部品駆動装置１は、図３に示すように、左右方向に離間して配置された一対の直動装置１０Ｌ，１０Ｒ、直動装置１０Ｌと直動装置１０Ｒとの間に配置された支持部材２０、及び直動装置１０Ｌ，１０Ｒと支持部材２０とを接続する一対の接続部材３０Ｌ，３０Ｒを備える。
【００１６】
直動装置１０Ｌと直動装置１０Ｒとは左右対称である。そこで、以下、直動装置１０Ｒの構成について説明し、直動装置１０Ｌの説明を省略する。
【００１７】
直動装置１０Ｒは、図４に示すように、フレーム１１、ガイドシャフト１２、アクチュエータ１３及びブラケット１４を備える。フレーム１１は、基部１１ａ、軸支持部１１ｂ及び軸支持部１１ｃを備える。基部１１ａは、上下方向に延びる略長方形の板状部である。基部１１ａの板厚方向が前後方向に一致している。軸支持部１１ｂ及び軸支持部１１ｃは、基部１１ａの上端部及び下端部からそれぞれ前方へ突出している。軸支持部１１ｂ及び軸支持部１１ｃは、次に説明するガイドシャフト１２及びアクチュエータ１３のねじ軸１３１ａを支持する。
【００１８】
ガイドシャフト１２は、上下方向に延びる丸棒である。ガイドシャフト１２の上端部及び下端部が軸支持部１１ｂ及び軸支持部１１ｃにそれぞれ支持されている。ガイドシャフト１２には、ブッシュＢ，Ｂが挿通されている（図７参照）。ブッシュＢはフランジ部Ｆを有する。
【００１９】
アクチュエータ１３は、ボールねじ１３１及び電動モーター１３２を備える（図４参照）。ボールねじ１３１は、上下方向に延びるねじ軸１３１ａ及びナット１３１ｂを備える。ねじ軸１３１ａは、略丸棒状部材であり、その外周面には、螺旋状の溝Ｇ１３１ａが形成されている。ねじ軸１３１ａの上端部及び下端部が軸支持部１１ｂ及び軸支持部１１ｃにそれぞれ支持されている。ナット１３１ｂは、ねじ軸１３１ａに螺合されている。すなわち、ナット１３１ｂの内周面には、図示しない複数の鋼球が組み付けられており、これらの鋼球が溝Ｇ１３１ａに嵌合している。なお、ねじ軸１３１ａが軸支持部１１ｃに支持された状態では、ねじ軸１３１ａの下端部は、フレーム１１の下端面から下方へ突出している。
【００２０】
電動モーター１３２は、周知のステッピングモーターである。電動モーター１３２は、フレーム１１の下端面に取り付けられている。電動モーター１３２の駆動軸が、ねじ軸１３１ａの下端部に接続されている。また、電動モーター１３２は、図示しない制御装置に接続されており、この制御装置により電動モーター１３２の駆動軸の回転が制御される。
【００２１】
ブラケット１４は、図５及び図６に示すように、本体部１４１及び支持体１４２を備える。本体部１４１は、略正方形の板状部材である。本体部１４１は、上下方向に貫通する貫通孔ＨＬ，ＨＲを有する。
【００２２】
図７に示すように、本体部１４１は、薄い板状にそれぞれ形成された前半部１４１ａと後半部１４１ｂから構成されている。前半部１４１ａの後面には、上下方向に延びる凹部ＲＬ１４１ａ，ＲＲ１４１ａが形成されている。また、後半部１４１ｂの前面には、上下方向に延びる凹部ＲＬ１４１ｂ，ＲＲ１４１ｂが形成されている。凹部ＲＬ１４１ａは、貫通孔ＨＬの前半部に相当し、凹部ＲＬ１４１ｂは、貫通孔ＨＬの後半部に相当する。また、凹部ＲＲ１４１ａは、貫通孔ＨＲの前半部に相当し、凹部ＲＲ１４１ｂは、貫通孔ＨＲの後半部に相当する。貫通孔ＨＲの内径は上下方向に略一定である。一方、貫通孔ＨＬの上下方向における中間部ＨＬＭの内径は、上端部及び下端部の内径よりも大きく設定されている。また、貫通孔ＨＲの上端部及び下端部には、ブッシュＢ，Ｂのフランジ部Ｆ，Ｆが嵌め込まれる溝ＧＨＲ，ＧＨＲが形成されている。
【００２３】
同図に示すように、前半部１４１ａと後半部１４１ｂとの間にガイドシャフト１２とねじ軸１３１ａとが挟み込まれる。つまり、ガイドシャフト１２及びねじ軸１３１ａが貫通孔ＨＲ及び貫通孔ＨＬに挿通される。また、ブッシュＢ，Ｂのフランジ部Ｆ，Ｆが、溝ＧＨＲ，ＧＨＲに嵌め込まれる。これにより、ブッシュＢ，Ｂが本体部１４１に固定される。また、中間部ＨＬＭにナット１３１ｂが収容される。ねじ軸１３１ａは、貫通孔ＨＬ内において、その中心軸回りに回動可能である。一方、中間部ＨＬＭにナット１３１ｂが中間部ＨＬＭに収容された状態では、本体部１４１に対するナット１３１ｂの上下方向の移動及び回動が規制されている。よって、ねじ軸１３１ａが回転駆動されることにより、ナット１３１ｂと本体部１４１とが一体となって上下方向にスライドする。
【００２４】
また、図８及び図９に示すように、本体部１４１の左端面ＳＬには、内側（右側）へ入り込む切り欠き部ＣＰが形成されている。すなわち、左端面ＳＬは、上部ＳＬ１、下部ＳＬ２、上側傾斜部ＳＬ３及び下側傾斜部ＳＬ４から構成されている。上部ＳＬ１は、本体部１４１の上端面ＳＵの左端から下方へ延設されている。下部ＳＬ２は、本体部１４１の下端面ＳＢの左端から上方へ延設されている。上側傾斜部ＳＬ３は、上部ＳＬ１の下端から下方且つ右方へ延設されている。また、下側傾斜部ＳＬ４は、下部ＳＬ２の上端から上方且つ右方へ延殺されている。
【００２５】
また、切り欠き部ＣＰの右端部（上側傾斜部ＳＬ３と下側傾斜部ＳＬ４との交差部の近傍）には、前後方向に離間した薄板部ＴＢＦ及び薄板部ＴＢＲが設けられている。薄板部ＴＢＦと薄板部ＴＢＲとの間には、前後方向に延びる軸部Ｓが形成されている。
【００２６】
支持体１４２は、略長方形の板状部材である（図７参照）。支持体１４２の正面視において、支持体１４２の長手方向における一端部は半円形を呈する。また、支持体１４２の長手方向における一端部には、前後方向に貫通する貫通孔Ｈ１４２が形成されている。貫通孔Ｈ１４２に本体部１４１の軸部Ｓが挿入されている。つまり、支持体１４２は、軸部Ｓのまわりに回動可能に支持されている。また、支持体１４２の他端面には、後述するロッド３２の端部が挿入されて固定される凹部ＲＰ１４２が形成されている（図６参照）。
【００２７】
支持部材２０は、支持体２０Ｌ，２０Ｒからなる（図３参照）。支持体２０Ｌ，２０Ｒは、装飾部品ＤＰの長手方向における両端部の後面にそれぞれ組み付けられて装飾部品ＤＰを支持する（図２参照）。支持体２０Ｌと支持体２０Ｒは左右対称であるので、以下、支持体２０Ｒについて説明し、支持体２０Ｌについての説明を省略する。
【００２８】
正面視において、支持体２０Ｒは、略長方形を呈する。支持体２０Ｒの長辺方向及び短辺方向が、装飾部品ＤＰの長辺方向及び短辺方向にそれぞれ一致している。支持体２０Ｒは、浅い箱状部材である（図１０及び図１１参照）。すなわち、支持体２０Ｒは、前後方向に垂直な略長方形の底壁部２１と、底壁部２１の周縁部に設けられた周壁部２２とを備える。支持体２０Ｒは、前方へ開放されている。底壁部２１の短辺方向における中間部の板厚が短辺方向における両端部の板厚よりも大きく設定されている。当該中間部には、支持体２０Ｒの長辺方向に平行に延びる長孔ＨＵ２１，ＨＬ２１が設けられている。長孔ＨＵ２１と長孔ＨＬ２１とが、支持体２０Ｒの短辺方向に離間している。長孔ＨＵ２１の各部の寸法と長孔ＨＬ２１の各部の寸法は同一である。周壁部２２は、底板部２１の長辺部に沿ってそれぞれ延びる第１壁部２２１及び第２壁部２２２、並びに底壁部２１の短辺部に沿ってそれぞれ延びる第３壁部２２３及び第４壁部２２４を備える。第４壁部２２４の中央部には、貫通孔Ｈ２２４が設けられている。
【００２９】
接続部材３０Ｌ，３０Ｒは、支持体２０Ｌ，２０Ｒと直動装置１０Ｌ，１０Ｒのブラケット１４とをそれぞれ接続している（図３参照）。
【００３０】
接続部材３０Ｒは、スライド板３１、ロッド３２、ブッシュ３３及びコイルばね３４を備える（図１０及び図１１参照）。正面視において、スライド板３１は、略正方形を呈する。ロッド３２は略丸棒である。ロッド３２の側面部は、その長手方向に延びる平面状に形成されている。スライド板３１の後面の中央部には、ロッド３２の一端部が固定される固定部３１１が設けられている。また、スライド板３１の後面における固定部３１１の上方及び下方に位置する部分に、ブッシュ軸３１２Ｕ，３１２Ｕ及びブッシュ軸３１２Ｌ，３１２Ｌがそれぞれ形成されている。ブッシュ３３は、略円筒状の本体部３３１、及び本体部３３１の一端部に形成されたフランジ部３３２を備える。本体部３３１の外径は、長孔ＨＵ２１（長孔ＨＬ２１）の幅と同等である。
【００３１】
支持体２０Ｒ及び接続部材３０Ｒは、次のようにしてブラケット１４に固定される。まず、ロッド３２の長手方向に一端部がスライド板３１の後面に組み付けられる。つぎに、ロッド３２の他端側からロッド３２がコイルばね３４に挿通される。つぎに、支持体２０Ｒの前方から、長孔ＨＵ２１及び長孔ＨＬ２１に、ブッシュ軸３１２Ｕ，３１２Ｕ及びブッシュ軸３１２Ｌ，３１２Ｌがそれぞれ挿入される。つぎに、支持体２０Ｒの後方から、ブッシュ軸３１２Ｕ，３１２Ｕ及びブッシュ軸３１２Ｌ，３１２Ｌに、ブッシュ３３がそれぞれ嵌め込まれる。各ブッシュ３３のフランジ部３３２が支持体２０Ｒの後面に当接することにより、スライド板３１の前方への脱落が規制される。また、各ブッシュ３３が長孔ＨＵ２１及び長孔ＨＬ２１にガイドされ、スライド板３１が支持体２０Ｒに対し、支持体２０Ｒの長手方向にスライド可能である。最後に、ロッド３２の他端部が、支持体２０Ｒの貫通孔Ｈ２２４に挿入されて支持体２０Ｒの外側へ突出され、ブラケット１４の支持体１４２に固定される（図１２参照）。なお、コイルばね３４の一端がスライド板３１の端面に当接するとともに、コイルばね３４の他端が、第４壁部２２４の内側面に当接している。なお、支持体２０Ｌ及び接続部材３０Ｌも、支持体２０Ｒ及び接続部材３０Ｒと同様に、直動装置１０Ｌのブラケット１４に固定される。
【００３２】
直動装置１０Ｌ，１０Ｒの電動モーター１３２がそれぞれ駆動されて、ねじ軸１３１ａが回転されることにより、ブラケット１４がそれぞれ昇降される。これにより、装飾部品ＤＰの上下方向における位置、及び装飾部品ＤＰの姿勢（左右方向に対する傾斜角度）が変更される。
【００３３】
直動装置１０Ｌのブラケット１４と直動装置１０Ｒのブラケット１４とが同一高さに位置しているとき、接続部材３０Ｌのロッド３２と接続部材３０Ｒのロッド３２とが左右方向に延びる同一直線上に位置しており、装飾部品ＤＰの長手方向が左右方向に一致している（図２参照）。このとき、接続部材３０Ｌ，３０Ｒのスライド板３１と第４壁部２２４の内側面との距離が、コイルばね３４の自然長より少し小さい。そのため、接続部材３０Ｌ，３０Ｒのコイルばね３４が少し押し縮められている。よって、接続部材３０Ｌのコイルばね３４により、装飾部品ＤＰの左端部が左方へ付勢されている。一方、接続部材３０Ｒのコイルばね３４により、装飾部品ＤＰの右端部が右方へ付勢されている。両コイルばね３４，３４の特性は同一である。つまり、装飾部品ＤＰの長手方向における両端部が、同一のばね力で、それぞれ外側（左方及び右方）へ付勢されている。したがって、正面視において、装飾部品ＤＰの長手方向における中央部が、直動装置１０Ｌの支持体１４２の回動中心（軸部Ｓの中心）と直動装置１０Ｒの支持体１４２の回動中心（軸部Ｓの中心）とを結ぶ線分の中央部に位置している。
【００３４】
例えば、図２に示す状態から、直動装置１０Ｒのブラケット１４が下降していくと、左右方向に対する装飾部品ＤＰの傾斜角度が徐々に増大する（図１３参照）。この過程において、直動装置１０Ｌの支持体１４２及び直動装置１０Ｒの支持体１４２が軸部Ｓのまわりに回動して、接続部材３０Ｌのロッド３２と接続部材３０Ｒのロッド３２とが同一直線上に位置する状態が維持される（図１４参照）。その際、両ブラケット１４の距離が徐々に増大する。そのため、接続部材３０Ｌ，３０Ｒのスライド板３１は、それぞれ第４壁部２２４側へスライドする。これにより、接続部材３０Ｌ，３０Ｒのコイルばね３４がそれぞれ押し縮められ、支持部材２０を介して装飾部品ＤＰに印加されるばね力が増大する。上記のように、両コイルばね３４，３４の特性は同一である。したがって、両コイルばね３４，３４の押し縮み量は同一である。つまり、装飾部品ＤＰの長手方向における両端部が、同一のばね力で、それぞれ外側（装飾部品ＤＰの長手方向における中央部側から両端部側へそれぞれ向かう方向）へ付勢されている。したがって、正面視において、装飾部品ＤＰの長手方向における中央部が、直動装置１０Ｌの支持体１４２の回動中心（軸部Ｓの中心）と直動装置１０Ｒの支持体１４２の回動中心（軸部Ｓの中心）とを結ぶ線分の中央部に位置している。
【００３５】
上記のように、装飾部品ＤＰの長手方向における両端部が、接続部材３０Ｌ，３０Ｒにより、装飾部品ＤＰの長手方向における中央部側とは反対側（中央部側から両端部側へ向かう方向）へ、それぞれ同一の付勢力で付勢されている。よって、装飾部品ＤＰの姿勢（左右方向に対する傾斜角度）が変化したとしても、装飾部品ＤＰの長手方向における中央部を、常に、直動装置１０Ｌの支持体１４２の回動中心（軸部Ｓの中心）と直動装置１０Ｒの支持体１４２の回動中心（軸部Ｓの中心）とを結ぶ線分の中央部に位置させることができる。すなわち、本実施形態によれば、装飾部品ＤＰの長手方向における中央部を中心として装飾部品ＤＰを回動させることができる。
【００３６】
さらに、本発明の実施にあたっては、上記実施形態に限定されるものではなく、本発明の目的を逸脱しない限りにおいて種々の変更が可能である。
【００３７】
例えば、上記実施形態では、支持部材２０は、支持体２０Ｌと支持体２０Ｒから構成されているが、図１５に示すように、支持体２０Ｌと支持体２０Ｒとが一体化された支持部材２０Ａとしてもよい。
【００３８】
また、上記実施形態では、接続部材３０Ｌ，３０Ｒによって、装飾部品ＤＰの長手方向における両端部が、同一のばね力で、それぞれ外側へ付勢されている。これに代えて、装飾部品ＤＰの長手方向における両端部が、それぞれ上記実施形態とは逆方向（つまり装飾部品ＤＰの長手方向に中央部側へ向かう方向）に付勢されても良い。この場合、例えば、図１６に示すように、支持体２０Ｒ（２０Ｌ）の内部にコイルばね３４を配置するのではなく、支持体２０Ｒ（２０Ｌ）と支持体１４２との間にコイルばね３４を配置するとよい。
【００３９】
この構成であっても、上記実施形態と同様に、直動装置１０Ｌのブラケット１４が最高位置にあり、且つ直動装置１０Ｒのブラケット１４が最低位置にあるとき、接続部材３０Ｌ，３０Ｒのスライド板３１が第４壁部２２４の内側面に近接している。第４壁部２２４の外側面と直動装置１０Ｌ、１０Ｒの支持体１４２との距離が、コイルばね３４の自然長より少し小さく設定される。そのため、接続部材３０Ｌ，３０Ｒのコイルばね３４が少し押し縮められている。よって、接続部材３０Ｌ，３０Ｒのコイルばね３４により、装飾部品ＤＰの長手方向における両端部が、装飾部品ＤＰの長手方向における中央部側へそれぞれ付勢される。両コイルばね３４，３４の特性は同一であるので、正面視において、装飾部品ＤＰの長手方向における中央部が、直動装置１０Ｌの支持体１４２の回動中心（軸部Ｓの中心）と直動装置１０Ｒの支持体１４２の回動中心（軸部Ｓの中心）とを結ぶ線分の中央部に位置する。
【００４０】
例えば、直動装置１０Ｒのブラケット１４が上昇していくと、左右方向に対する装飾部品ＤＰの傾斜角度が徐々に減少する。この過程において、直動装置１０Ｌの支持体１４２及び直動装置１０Ｒの支持体１４２が軸部Ｓのまわりに回動して、接続部材３０Ｌのロッド３２と接続部材３０Ｒのロッド３２とが同一直線上に位置する状態が維持される。その際、両ブラケット１４の距離が徐々に減少する。そのため、接続部材３０Ｌ，３０Ｒのスライド板３１は、それぞれ第３壁部２２３側へスライドし、第４壁部２２４の外側面と直動装置１０Ｌ、１０Ｒの支持体１４２との距離が徐々に減少する。これにより、接続部材３０Ｌ，３０Ｒのコイルばね３４がそれぞれ押し縮められ、支持部材２０を介して装飾部品ＤＰに印加されるばね力が増大する。上記のように、両コイルばね３４，３４の特性は同一である。したがって、両コイルばね３４，３４の押し縮み量は同一である。つまり、装飾部品ＤＰの長手方向における両端部が、同一のばね力で、装飾部品ＤＰの長手方向における両端部側から中央部側へそれぞれ向かう方向へ、それぞれ付勢される。したがって、正面視において、装飾部品ＤＰの長手方向における中央部が、直動装置１０Ｌの支持体１４２の回動中心（軸部Ｓの中心）と直動装置１０Ｒの支持体１４２の回動中心（軸部Ｓの中心）とを結ぶ線分の中央部に位置する。
【００４１】
上記のように、図１６のように構成した場合、装飾部品ＤＰの長手方向における両端部が、装飾部品ＤＰの長手方向における中央部側へ、それぞれ同一の付勢力で付勢されている。よって、装飾部品ＤＰの姿勢（左右方向に対する傾斜角度）が変化したとしても、装飾部品ＤＰの長手方向における中央部を、常に、直動装置１０Ｌの支持体１４２の回動中心（軸部Ｓの中心）と直動装置１０Ｒの支持体１４２の回動中心（軸部Ｓの中心）とを結ぶ線分の中央部に位置させることができる。すなわち、本実施形態によれば、装飾部品ＤＰの長手方向における中央部を中心として装飾部品ＤＰを回動させることができる。
【００４２】
なお、上記実施形態では、直動装置１０Ｌ，１０Ｒは上下方向に延設されているが、それらの延設方向は上記実施形態に限られない。例えば、直動装置１０Ｌ，１０Ｒが左右方向に延設され、装飾部品ＤＰを左右方向に移動させても良い。
【符号の説明】
【００４３】
１・・・装飾部品駆動装置、１０Ｌ，１０Ｒ・・・直動装置、１１・・・フレーム、１２・・・ガイドシャフト、１３・・・アクチュエータ、１４・・・ブラケット、２０，２０Ａ・・・支持部材、２０Ｌ，２０Ｒ・・・支持体、２１・・・底壁部、２２・・・周壁部、３０Ｌ，３０Ｒ・・・接続部材、３１・・・スライド板、３２・・・ロッド、３３・・・ブッシュ、１３１ａ・・・ねじ軸、１３１ｂ・・・ナット、１３２・・・電動モーター、１４１・・・本体部、１４２・・・支持体、３１２Ｕ，３１２Ｕ・・・ブッシュ軸、３３１・・・本体部、３３２・・・フランジ部、ＤＰ・・・装飾部品
【図１】
2019205513.tif 000003
【図２】
2019205513.tif 000004
【図３】
2019205513.tif 000005
【図４】
2019205513.tif 000006
【図５】
2019205513.tif 000007
【図６】
2019205513.tif 000008
【図７】
2019205513.tif 000009
【図８】
2019205513.tif 000010
【図９】
2019205513.tif 000011
【図１０】
2019205513.tif 000012
【図１１】
2019205513.tif 000013
【図１２】
2019205513.tif 000014
【図１３】
2019205513.tif 000015
【図１４】
2019205513.tif 000016
【図１５】
2019205513.tif 000017
【図１６】
2019205513.tif 000018